(57)【要約】【課題】栽培植物の周囲の気温及び湿度を精度良く制御することの可能な園芸施設を提供する。【解決手段】複数の空調装置３を備え、空調装置３は、空調ユニット３１と送風機３２とを有しており、空調ユニット３１は、空調風を吹き出すように構成されており、送風機３２は、空調風の流れ方向において空調ユニット３１の下流位置に配置されると共に、空調風の流れ方向に沿って送風するように配置されており、複数の空調装置３は、所定方向の気流ＦＬを形成する空調装置３である第１空調装置３Ａと、所定方向とは反対方向の気流ＦＬを形成する第２空調装置３Ｂと、を含んでおり、所定方向に直交する方向において、第１空調装置３Ａと、第２空調装置３Ｂと、が交互に配置されている。【選択図】図１
2020078255.tif 000002
【特許請求の範囲】
【請求項１】
複数の空調装置を備え、
前記空調装置は、空調ユニットと送風機とを有しており、
前記空調ユニットは、空調風を吹き出すように構成されており、
前記送風機は、前記空調風の流れ方向において前記空調ユニットの下流位置に配置されると共に、前記空調風の流れ方向に沿って送風するように配置されており、
前記複数の空調装置は、所定方向の気流を形成する前記空調装置である第１空調装置と、前記所定方向とは反対方向の気流を形成する第２空調装置と、を含んでおり、
前記所定方向に直交する方向において、前記第１空調装置と、前記第２空調装置と、が交互に配置されている園芸施設。
【請求項２】
前記空調装置により形成される気流は、栽培植物の成長点の近傍を通過するように構成されている請求項１に記載の園芸施設。
【請求項３】
前記空調装置は、複数の前記空調ユニットと、複数の前記送風機と、を有しており、
前記空調装置において、前記複数の空調ユニットは前記空調風の流れ方向に対して並列的に配置されており、前記複数の送風機は前記空調風の流れ方向に沿って直列的に配置されている請求項１または２に記載の園芸施設。
【発明の詳細な説明】
【技術分野】
【０００１】
本発明は、空調装置を備える園芸施設に関する。
【背景技術】
【０００２】
上記のような園芸施設として、例えば、特許文献１に記載のものが既に知られている。この園芸施設は、空調ユニット（特許文献１では「ヒートポンプ装置」）及び送風機（特許文献１では「循環扇」）を有する空調装置を備えている。
【先行技術文献】
【特許文献】
【０００３】
【特許文献１】特開２０１７−１２０５６号公報
【発明の概要】
【発明が解決しようとする課題】
【０００４】
この園芸施設における空調ユニットは、ダクトを介して栽培植物（特許文献１では「作物」）の周囲に空調風を吹き出すように構成されている。
【０００５】
しかしながら、この構成では、ダクトの設置及びダクトのメンテナンスのためにコストがかかる。そのため、園芸施設の製造コスト及びランニングコストが増大しがちである。
【０００６】
また、この構成では、管理作業や収穫作業等を行う際、管理者は、自身の体や作業用器具がダクトに干渉しないように注意しながら作業を行う必要がある。これにより、作業効率が悪くなりがちである。
【０００７】
そこで、ダクトを設けることなく、空調ユニットによる空調風と、送風機による送風と、によって、園芸施設内の全体の気温及び湿度を制御することが考えられる。この場合、例えば、園芸施設内の気流が輪を描くように空調ユニット及び送風機を配置する構成が考えられる。
【０００８】
しかしながら、園芸施設内の気流が輪を描くように空調ユニット及び送風機を配置する場合、一般に、栽培植物の周囲の気温及び湿度を精度良く制御することは困難であった。
【０００９】
本発明の目的は、栽培植物の周囲の気温及び湿度を精度良く制御することの可能な園芸施設を提供することである。
【課題を解決するための手段】
【００１０】
本発明の特徴は、複数の空調装置を備え、前記空調装置は、空調ユニットと送風機とを有しており、前記空調ユニットは、空調風を吹き出すように構成されており、前記送風機は、前記空調風の流れ方向において前記空調ユニットの下流位置に配置されると共に、前記空調風の流れ方向に沿って送風するように配置されており、前記複数の空調装置は、所定方向の気流を形成する前記空調装置である第１空調装置と、前記所定方向とは反対方向の気流を形成する第２空調装置と、を含んでおり、前記所定方向に直交する方向において、前記第１空調装置と、前記第２空調装置と、が交互に配置されていることにある。
【００１１】
本発明であれば、第１空調装置における空調ユニットにより吹き出された空調風は、第１空調装置により形成されている気流の下流側端部に到達した後、第２空調装置により形成されている気流に合流する。また、第２空調装置における空調ユニットにより吹き出された空調風は、第２空調装置により形成されている気流の下流側端部に到達した後、第１空調装置により形成されている気流に合流する。
【００１２】
これにより、園芸施設内において空調風が効率良く循環する。従って、園芸施設内の全体の気温及び湿度を均一に、精度良く制御することが可能となる。その結果、栽培植物の周囲の気温及び湿度を精度良く制御することが可能となる。
【００１３】
さらに、本発明において、前記空調装置により形成される気流は、栽培植物の成長点の近傍を通過するように構成されていると好適である。
【００１４】
この構成によれば、栽培植物の成長点の近傍の気温及び湿度を精度良く制御することが可能となる。これにより、栽培植物の生育が良好となる。
【００１５】
さらに、本発明において、前記空調装置は、複数の前記空調ユニットと、複数の前記送風機と、を有しており、前記空調装置において、前記複数の空調ユニットは前記空調風の流れ方向に対して並列的に配置されており、前記複数の送風機は前記空調風の流れ方向に沿って直列的に配置されていると好適である。
【００１６】
この構成によれば、複数の空調ユニットは空調風の流れ方向に対して並列的に配置されている。従って、複数の空調ユニットが空調風の流れ方向に沿って直列的に配置される場合に比べて、空調風の流路断面積を大きくすることができる。さらに、複数の送風機は空調風の流れ方向に沿って直列的に配置されている。従って、複数の送風機が空調風の流れ方向に対して並列的に配置される場合に比べて、空調風の到達距離を長くすることができる。
【００１７】
これにより、１つの空調装置によって空調風が供給される領域は、比較的広くなる。従って、１つの空調装置によって、比較的広い領域の気温及び湿度を制御することが可能となる。その結果、設ける必要のある空調装置の個数が比較的少なくなるため、製造コストを抑えることが可能となる。
【図面の簡単な説明】
【００１８】
【図１】園芸施設の内部全体を示す平面図である。
【図２】気流の通過する位置を示す図である。
【発明を実施するための形態】
【００１９】
本発明を実施するための形態について、図面に基づき説明する。尚、以下の説明においては、特に断りがない限り、図１に示す矢印Ｎの方向を「北」、矢印Ｓの方向を「南」として、矢印Ｅの方向を「東」、矢印Ｗの方向を「西」とする。
【００２０】
〔園芸施設の全体構成〕
本実施形態では、図１に示されているような園芸施設１に、栽培植物Ｐ（図２を参照）を植えるための複数の畝Ａが設けられている。複数の畝Ａは、それぞれ、南北方向に延びている。また、複数の畝Ａは、東西方向に並んでいる。
【００２１】
複数の畝Ａの間は栽培植物Ｐの管理者が通行可能な通路となっている。園芸施設１は、例えばビニールハウスであったり、太陽光利用型の植物工場であったりする。
【００２２】
複数の畝Ａは、例えば無孔性親水性フィルムで構成される。そして、複数の畝Ａに、栽培植物Ｐとして、例えばトマトが植えられる。
【００２３】
図１に示すように、園芸施設１の北東部には、前室２が設けられている。また、図示されていないが、他にも、園芸施設１には、給液システム、環境センサ、天窓、側窓、遮光カーテン等が備えられている。
【００２４】
また、園芸施設１は、複数の空調装置３を備えている。図１に示すように、本実施形態では、空調装置３の個数は５つである。しかしながら、本発明はこれに限定されず、空調装置３の個数は、２つ以上のいかなる個数であっても良い。
【００２５】
〔空調装置の構成〕
図１に示すように、各空調装置３は、複数の空調ユニット３１と、複数の送風機３２と、を有している。本実施形態では、１つの空調装置３における空調ユニット３１の個数は２つである。しかしながら、本発明はこれに限定されず、１つの空調装置３における空調ユニット３１の個数は、１つ以上のいかなる個数であっても良い。
【００２６】
また、本実施形態では、１つの空調装置３における送風機３２の個数は２つである。しかしながら、本発明はこれに限定されず、１つの空調装置３における送風機３２の個数は、１つ以上のいかなる個数であっても良い。
【００２７】
空調ユニット３１は、空調風を吹き出すように構成されている。そして、各空調装置３において、２つの空調ユニット３１が、空調風の流れ方向に対して並列的に配置されている。
【００２８】
本実施形態においては、図１に矢印で示すように、空調風の流れ方向は南北方向である。そして、各空調装置３において、２つの空調ユニット３１が、東西方向に並ぶ状態で配置されている。
【００２９】
また、送風機３２は、空調風の流れ方向において空調ユニット３１の下流位置に配置されている。そして、送風機３２は、図１に矢印で示すように、空調風の流れ方向に沿って送風するように配置されている。また、各空調装置３において、２つの送風機３２が、空調風の流れ方向に沿って直列的に配置されている。
【００３０】
本実施形態の各空調装置３においては、２つの送風機３２が、南北方向に並ぶ状態で配置されている。そして、各空調装置３により、南北方向の気流ＦＬが形成される。ここで、上述の通り、各畝Ａの延びる方向も南北方向である。即ち、各空調装置３により形成される気流ＦＬの方向と、各畝Ａの延びる方向と、は同じである。
【００３１】
また、複数の空調装置３には、第１空調装置３Ａと、第２空調装置３Ｂと、が含まれている。図１に示すように、第１空調装置３Ａは、南から北へ向かう方向（本発明に係る「所定方向」に相当）の気流ＦＬを形成する空調装置３である。また、第２空調装置３Ｂは、北から南へ向かう方向（本発明に係る「所定方向とは反対方向」に相当）の気流ＦＬを形成する空調装置３である。
【００３２】
本実施形態において、第１空調装置３Ａの個数は３つである。しかしながら、本発明はこれに限定されず、第１空調装置３Ａの個数は、１つ以上のいかなる個数であっても良い。
【００３３】
また、本実施形態において、第２空調装置３Ｂの個数は２つである。しかしながら、本発明はこれに限定されず、第２空調装置３Ｂの個数は、１つ以上のいかなる個数であっても良い。
【００３４】
そして、図１に示すように、東西方向（本発明に係る「所定方向に直交する方向」に相当）において、第１空調装置３Ａと、第２空調装置３Ｂと、が交互に配置されている。尚、上述の通り、各畝Ａの延びる方向は南北方向である。即ち、第１空調装置３Ａと、第２空調装置３Ｂと、が交互に配置される方向は、各畝Ａの延びる方向に直交する方向である。
【００３５】
また、各空調ユニット３１及び各送風機３２は、東西方向において、互いに隣接する２つの畝Ａの間に位置するように配置されている。
【００３６】
本実施形態における送風機３２は、細霧を噴出可能に構成されている。そして、日中には、空調ユニット３１の駆動が停止され、送風機３２により噴出される細霧により、園芸施設１内の湿度が保たれると共に、気温の上昇が抑制される。また、夜間には、空調ユニット３１及び送風機３２が駆動され、空調風により、栽培植物Ｐの周囲の気温及び湿度が制御される。
【００３７】
尚、送風機３２とは別に、細霧式加湿装置が設けられていても良い。この場合、日中に、送風機３２及び細霧式加湿装置から細霧が噴出される構成であっても良いし、細霧式加湿装置のみから細霧が噴出される構成であっても良い。
【００３８】
図２に示すように、空調装置３により形成される気流ＦＬは、栽培植物Ｐの成長点Ｐａの近傍を通過する。
【００３９】
また、気流ＦＬは、栽培植物Ｐに直接当たらない位置に形成される。これにより、気流ＦＬが栽培植物Ｐに直接当たることによって栽培植物Ｐの一部同士が衝突し、栽培植物Ｐが傷む事態を回避できる。
【００４０】
以上で説明した構成によれば、第１空調装置３Ａにおける空調ユニット３１により吹き出された空調風は、第１空調装置３Ａにより形成されている気流ＦＬの下流側端部に到達した後、第２空調装置３Ｂにより形成されている気流ＦＬに合流する。また、第２空調装置３Ｂにおける空調ユニット３１により吹き出された空調風は、第２空調装置３Ｂにより形成されている気流ＦＬの下流側端部に到達した後、第１空調装置３Ａにより形成されている気流ＦＬに合流する。
【００４１】
これにより、園芸施設１内において空調風が効率良く循環する。従って、園芸施設１内の全体の気温及び湿度を均一に、精度良く制御することが可能となる。その結果、栽培植物Ｐの周囲の気温及び湿度を精度良く制御することが可能となる。
【００４２】
尚、以上に記載した実施形態は一例に過ぎないのであり、本発明はこれに限定されるものではなく、適宜変更が可能である。
【００４３】
〔その他の実施形態〕
（１）第１空調装置３Ａは、南から北へ向かう方向以外の方向の気流ＦＬを形成するように構成されていても良い。例えば、第１空調装置３Ａは、西から東へ向かう方向の気流ＦＬを形成するように構成されていても良い。
【００４４】
（２）第２空調装置３Ｂにより形成される気流ＦＬの方向は、第１空調装置３Ａにより形成される気流ＦＬの方向とは反対方向であれば、いかなる方向であっても良い。
【００４５】
（３）第１空調装置３Ａと、第２空調装置３Ｂと、が交互に配置される方向は、第１空調装置３Ａにより形成される気流ＦＬの方向に直交する方向であれば、いかなる方向であっても良い。
【００４６】
（４）空調装置３において、複数の空調ユニット３１は空調風の流れ方向に沿って直列的に配置されていても良い。
【００４７】
（５）空調装置３において、複数の送風機３２は空調風の流れ方向に対して並列的に配置されていても良い。
【００４８】
（６）園芸施設１は、空調装置３により形成される気流ＦＬが、栽培植物Ｐの成長点Ｐａから遠く離れた位置を通過するように構成されていても良い。
【００４９】
（７）東西南北の方角については、上記実施形態に限定されず、適宜変更が可能である。例えば、各畝Ａの延びる方向は東西方向でも良い。
【産業上の利用可能性】
【００５０】
本発明は、空調装置を備える園芸施設に利用可能である。
【符号の説明】
【００５１】
１    園芸施設
３    空調装置
３Ａ  第１空調装置
３Ｂ  第２空調装置
３１  空調ユニット
３２  送風機
ＦＬ  気流
Ｐ    栽培植物
Ｐａ  成長点
【図１】
2020078255.tif 000003
【図２】
2020078255.tif 000004